(57)【要約】      （修正有）【課題】モバイルノードのケア・オブ・アドレスをホームアドレスと関係付けるホームエージェントの負荷分散とホームエージェントの障害時管理とを具体的に実現する技術を提供する。【解決手段】ホームエージェント装置において、少なくともケア・オブ・アドレスとそのケア・オブ・アドレスを分担する２以上のホームエージェントのアドレスと、その２以上のホームエージェント毎の優先値と、動作状態とを対応付けたアドレス管理テーブルを備えた構成とすることで、それぞれのホームエージェントの動作状態（アクティブか非アクティブか）と、ホームエージェント間の優先順位を設定することができるため、この優先順位の設定の仕方によりホームエージェントのケア・オブ・アドレス毎の負荷分散を実現することができる。また、動作状態も把握できる。【選択図】    図７
2005027123.tif 000002
【特許請求の範囲】
【請求項１】
移動体端末のホームリンク下のホームアドレスと移動後のモバイルノード下のケア・オブ・アドレスとを関係付けるホームエージェント装置において、
少なくともケア・オブ・アドレスとそのケア・オブ・アドレスを分担する２以上のホームエージェントのアドレスと、その２以上のホームエージェント毎の優先値と、動作状態とを対応付けたアドレス管理テーブルを備えたホームエージェント装置。
【請求項２】
前記ホームエージェント装置はルータを介してＩＰｖ６ネットワークに接続されている請求項１記載のホームエージェント装置。
【請求項３】
移動体端末のホームリンク下のホームアドレスと移動後のモバイルノード下のケア・オブ・アドレスとを関係付けるホームエージェント装置において、
少なくともケア・オブ・アドレスとそのケア・オブ・アドレスを分担する２以上のホームエージェントのアドレスと、その２以上のホームエージェント毎の優先値と、動作状態とを対応付けたアドレス管理テーブルと、
ネットワークを介してホームエージェント・アドレス・ディスカバリ・リクエストを受け付けて前記アドレス管理テーブルにアクセスし、前記ケア・オブ・アドレスに対応するホームエージェントのステータスをホームエージェント・アドレス・ディスカバリ・リプライとして前記モバイルノードに返信する制御手段とからなるホームエージェント装置。
【請求項４】
少なくともケア・オブ・アドレスとそのケア・オブ・アドレスを分担する２以上のホームエージェントのアドレスと、その２以上のホームエージェント毎の優先値と、動作状態とを対応付けたアドレス管理テーブルを備えたホームエージェント装置を含むネットワークのホームエージェント選択方法であって、
モバイルノードからホームエージェント・アドレス・ディスカバリ・リクエストを受信するステップと、
前記ケア・オブ・アドレスに基づいたホームエージェント毎の優先値と動作状態とをホームエージェント・アドレス・ディスカバリ・リプライとして前記モバイルノードに返信し、
前記モバイルノードは、前記ホームエージェントの動作状態がアクティブでかつ優先順位が高いホームエージェントのアドレスを分担を担当するホームエージェントとして選択して、前記モバイルノード下の移動端末からのアクセスを許可する移動体端末通信のためのホームエージェント選択方法。
【発明の詳細な説明】
【０００１】
【発明の属する技術分野】
本発明は、移動体通信におけるネットワーク通信において必須となるホームエージェントの負荷分散技術に関する。
【０００２】
【従来の技術】
移動体通信を支援するネットワーク技術としてモバイルＩＰ（Ｍｏｂｉｌｅ  ＩＰ（Ｉｎｔｅｒ−ｎｅｔ  Ｐｒｏｔｏｃｏｌ  ｖ６）の標準化が進められている。
【０００３】
モバイルＩＰ（Ｍｏｂｉｌｅ  ＩＰ）では、移動により起こるＩＰアドレスの変更を隠蔽する移動透過性と通信相手ノードが移動ノードのＩＰアドレスを一意に識別できるための常時発呼可能性が要求される。
【０００４】
さらに、現在のインターネットの標準プロトコルであるＩＰｖ４環境下でのアドレスの枯渇に対応するため新たなプロトコルであるＩＰｖ６を前提にする必要があった。
【０００５】
これらの点に鑑みて、Ｍｏｂｉｌｅ  ＩＰｖ６の規格案が提案されている。このＭｏｂｉｌｅ  ＩＰｖ６下においては、移動体端末の移動前の本来のホームリンク（Ｈｏｍｅ  Ｌｉｎｋ）下で移動体端末に割り当てられたアドレスをホームアドレス（Ｈｏｍｅ  Ａｄｄｒｅｓｓ）とし、移動先でのノードをモバイルノード（ＭＮ：Ｍｏｂｉｌｅ  Ｎｏｄｅ）とし、このモバイルノード下（訪問先リンク）における当該移動端末の実際に利用可能なアドレスをケア・オブ・アドレス（ＣｏＡ：Ｃａｒｅ−ｏｆ  Ａｄｄｒｅｓｓ）として、このケア・オブ・アドレスをホームアドレスに対応付けることによって移動ノードのＩＰアドレスの一意識別性を担保するようになっていた。
【０００６】
そして、前記ホームアドレスとケア・オブ・アドレスとを対応付けて管理するためにホームエージェント（ＨＡ：Ｈｏｍｅ  Ａｇｅｎｔ）と呼ばれる管理装置を設定し、このホームエージェントによって移動前後のアドレス同士を関係付けていた。
【０００７】
このホームエージェントでは、バインディング・キャッシュ（Ｂｉｎｄｉｎｇ  Ｃａｃｈ）と呼ばれるデータベースを備えており、モバイルノードのホームアドレスとケア・オブ・アドレスとを対応付けるとともに、その有効期間等を登録するようになっている。
【０００８】
そしてさらに、Ｍｏｂｉｌｅ  ＩＰｖ６（ｄｒａｆｔ  ２３）では、ホームエージェント間の機能分担を行うため、モバイルノード（ＭＮ）がホームエージェントを動的に自動検索する機構（Ｈｏｍｅ  Ａｇｅｎｔ  Ａｄｒｅｓｓ  Ｄｉｓｃｏｖｅｒｙ  Ｍｅｃｈａｎｉｓｍ）が提案されている。
【０００９】
なお、移動体通信において、通信中でも動的にサービスの変更を可能にする技術としては、特開２００１−２１７８６６号公報および、特開２００１−１６９３４１号公報がある。
【００１０】
特許文献１は、ホームエージェントに接続されるホームサーバ内にサービスプロファイル設定制御手段とサービスプロファイル再設定制御手段とを設けておき、サービスプロファイル内の規制条件に基づいてイベントを発生させてこのイベント発生時新たなサービスプロファイルを抽出してネットワーク機器に対して新たなサービスプロファイル、たとえば通信サービス品質や課金方式等を動的に設定する技術である。
【００１１】
また、特許文献２は、サービス制御データベースを設けておき、ユーザの移動端末毎に制御情報をカスタマイズできるようにして、移動ノードのホームエージェントおよびその移動エージェントを収容する外部エージェントのみにサービスプロファイルを配布できるようにして、移動ノードの数が増加しても、各エージェントに設定すべきサービス制御情報を比較的少なくして、移動端末への付加価値サービスを提供できるようにしたものである。
【００１２】
【特許文献１】
特開２００１−２１７８６６号公報
【特許文献２】
特開２００１−１６９３４１号公報
【００１３】
【発明が解決しようとする課題】
前記特許文献は、いずれも移動体通信に着目して動的な通信環境を制御しようとするものではあるが、車両等の移動にともなってダイナミックに変化するモバイルノードのＩＰアドレスをホームアドレスとの整合性を調整するものではなかった。
【００１４】
本発明はこのような点に着目してなされたものであり、モバイルノードのケア・オブ・アドレスをホームアドレスと関係付けるホームエージェントの負荷分散とホームエージェントの障害時管理とを具体的に実現する技術を提供することを課題とする。
【００１５】
【課題を解決するための手段】
本発明の第１の手段は、移動体端末のホームリンク下のホームアドレスと移動後のモバイルノード下のケア・オブ・アドレスとを関係付けるホームエージェント装置において、少なくともケア・オブ・アドレスとそのケア・オブ・アドレスを分担する２以上のホームエージェントのアドレスと、その２以上のホームエージェント毎の優先値と、動作状態とを対応付けたアドレス管理テーブルを備えたホームエージェント装置である。
【００１６】
アドレス管理テーブルによってそれぞれのホームエージェントの動作状態（アクティブか非アクティブか）と、ホームエージェント間の優先順位を設定することができるため、この優先順位の設定の仕方によりホームエージェントのケア・オブ・アドレス毎の負荷分散を実現することができる。また、動作状態も把握できるため、モバイルノード側では障害の発生したホームエージェントを回避して適切なホームエージェントを選択し、当該モバイルノード下の移動体端末のためにケア・オブ・アドレスとホームアドレスとを対応付けてネットワークへのアクセスを実現させることができる。
【００１７】
また、前記のようなホームエージェント装置は膨大なＩＰアドレスを管理する通信網に適している（第２の手段）。
【００１８】
また、本発明の第３の手段は、移動体端末のホームリンク下のホームアドレスと移動後のモバイルノード下のケア・オブ・アドレスとを関係付けるホームエージェント装置において、少なくともケア・オブ・アドレスとそのケア・オブ・アドレスを分担する２以上のホームエージェントのアドレスと、その２以上のホームエージェント毎の優先値と、動作状態とを対応付けたアドレス管理テーブルと、ネットワークを介してホームエージェント・アドレス・ディスカバリ・リクエストを受け付けて前記アドレス管理テーブルにアクセスし、前記ケア・オブ・アドレスに対応するホームエージェントのステータスをホームエージェント・アドレス・ディスカバリ・リプライとして前記モバイルノードに返信する制御手段とからなるホームエージェント装置である。
【００１９】
このように第３の手段により、モバイルノードに対して負荷分散を前提とした最適なホームエージェント情報を提供することができる。
【００２０】
本発明の第４の手段は、少なくともケア・オブ・アドレスとそのケア・オブ・アドレスを分担する２以上のホームエージェントのアドレスと、その２以上のホームエージェント毎の優先値と、動作状態とを対応付けたアドレス管理テーブルを備えたホームエージェント装置を含むネットワークのホームエージェント選択方法であって、モバイルノードからホームエージェント・アドレス・ディスカバリ・リクエストを受信するステップと、前記ケア・オブ・アドレスに基づいたホームエージェント毎の優先値と動作状態とをホームエージェント・アドレス・ディスカバリ・リプライとして前記モバイルノードに返信し、前記モバイルノードは、前記ホームエージェントの動作状態がアクティブでかつ優先順位が高いホームエージェントのアドレスを分担を担当するホームエージェントとして選択して、前記モバイルノード下の移動端末からのアクセスを許可する移動体端末通信のためのホームエージェント選択方法である。
【００２１】
この第４の手段においても、アドレス管理テーブルによってそれぞれのホームエージェントの動作状態（アクティブか非アクティブか）と、ホームエージェント間の優先順位を設定することができるため、この優先順位の設定の仕方によりホームエージェントのケア・オブ・アドレス毎の負荷分散を実現することができる。また、動作状態も把握できるため、モバイルノード側では障害の発生したホームエージェントを回避して適切なホームエージェントを選択し、当該モバイルノード下の移動体端末のためにケア・オブ・アドレスとホームアドレスとを対応付けてネットワークへのアクセスを実現させることができる。
【００２２】
【発明の実施の形態】
以下、図面に基づいて、本発明の実施の形態を説明する。
【００２３】
図１は、本実施形態のネットワーク構成を示す説明図である。
【００２４】
同図において、端末装置（ＭＴ）１ａは、モバイルノード（ＭＮ）２のホームリンク下にて、たとえば「Ａ：Ｂ：Ｃ：：／４８」というホームアドレスが設定されている。同図では、この端末装置（ＭＴ）１ａがモバイルノード（ＭＮ）３の配下の訪問先リンク（Ｍｏｂｉｌｅ  Ｌｉｎｋ）に移動している。このモバイルノード（ＭＮ）３下では実際のアドレスとして「Ｘ：Ｙ：Ｚ：：／４８」が付与されている。
【００２５】
これらのモバイルノード（ＭＮ）２，３は、ネットワーク（ＮＷ）に接続されている。ネットワーク（ＮＷ）４にはルータ５を介して複数のホームエージェント（ＨＡ１〜ｎ）が接続されている。
【００２６】
図２はバインデイングキャッシュデータベース（ＢＣＤ）の内容を召しており、図３はこのバインディングキャッシュデータベース（ＢＣＥ）が収容されたホームエージェント（ＨＡ）の構成をブロック図で示している。
【００２７】
ホームエージェント（ＨＡ１）は、図３に示すように、ホームエージェント管理テーブル（ＨＡＭＴ）とバインディングキャッシュデータベース（ＢＣＤ）とを有している。
【００２８】
ホームエージェント管理テーブル（ＨＡＭＴ）は、ホームエージェント管理テーブル設定部３０３によってその内容を設定される。また、ホームエージェント・アドレス・ディスカバリ・リクエスト処理部３０７によってケア・オブアドレスを検索キーにしてアクセスされ、その検索結果はホームエージェント・アドレス・ディスカバリ・リプライ生成部３０５によって図５に示すフォーマットに組み立てられて送信部３０６から送信されるようになっている。
【００２９】
また、バインディングキャッシュデータベース（ＢＣＤ）は、ホームアドレスリクエスト処理部３０４によってアクセスされるようになっている。
【００３０】
バインディングキャッシュデータベース（ＢＣＤ）は図２に示すように、ケア・オブ・アドレス（ＣｏＡ）をキーにそれに対応するホームアドレスと、有効期限（Ｌｉｆｅｔｉｍｅ）が登録されている。ホームアドレスは、移動前の端末装置（ＭＴ）１のモバイルノード（ＭＮ）２配下のホームアドレスを登録するようになっている。なお、有効期限は当該バインディンキャッシュの有効期限を意味している。このように有効期限を設定するのは、バインディングキャッシュ領域を、不要となったケア・オブ・アドレス（ＣｏＡ）のために肥大化させないようにするためである。図２では、「Ｘ：Ｙ：Ｚ：：／４８」のケア・オブ・アドレス（ＣｏＡ）は「Ａ：Ｂ：Ｃ：：／４８」のホームアドレスに対応していることを意味している。
【００３１】
そして、モバイルノード（ＭＮ）３よりケア・オブ・アドレス（ＣｏＡ）を検索キーにしたホームアドレスリクエストを当該ホームエージェント（ＨＡ１）が受信した場合、受信部３０１およびリクエスト解析部３０２を通じて当該リクエストが解析され、ホームアドレスリクエスト処理部３０４によってバインディングキャッシュデータベース（ＢＣＤ）がアクセスされて、当該ケア・オブ・アドレス（ＣｏＡ）に対応したホームアドレスが前記モバイルノード（ＭＮ３）に通知されるようになっている。モバイルノード（ＭＮ３）では、これによりリンク配下の端末装置（ＭＴ）１のホームアドレスを知ることができるようになっている。
【００３２】
ホームエージェント管理テーブル（ＨＡＭＴ）は、図７に示すように、モバイルノード（ＭＮ）のケア・オブ・アドレス（ＣｏＡ）と、当該ケア・オブアドレスを管理するホームエージェント（ＨＡ）のアドレスと、プリフェランス値と動作状況とが登録されるようになっている。ケア・オブ・アドレス（ＣｏＡ）は、モバイルノード（ＭＮ）配下でリンクされている端末装置（ＭＴ）の実アドレスが登録されるようになっている。ホームエージェント（ＨＡ）のアドレスとは、当該ケア・オブアドレス（ＣｏＡ）を管理しているホームエージェント（ＨＡ）のアドレスを示している。つまり、図７の場合、モバイルノードとして「Ｘ：Ｙ：Ｚ：：／４８」の実アドレスを有する端末装置のホームアドレスはホームエージェント（ＨＡ１）で管理されているバインディングキャッシュデータベース（ＢＣＤ）を使用することを示している。プリフェランス値は、優先順位を示しており大きな数値ほど高い順位を意味している。つまり図７の場合、「Ｘ：Ｙ：Ｚ：：／４８」のケア・オブ・アドレス（ＣｏＡ）をキーとするリクエストはホームエージェント（ＨＡ１）を優先的に使用することを意味し、ホームエージェント（ＨＡ２）を２番目に使用することを意味する。同様に、「Ｘ：Ｙ：Ｗ：：／４８」のケア・オブ・アドレス（ＣｏＡ）をキーとするリクエストはホームエージェント（ＨＡ２）を優先的に使用することを意味し、ホームエージェント（ＨＡ１）を２番目に使用することを意味する。動作状況はホームエージェント毎の動作状況を登録しておく。「ａｃｔｉｖｅ」は正常動作状態を意味し、「ｉｎａｃｔｉｖｅ」は非動作の状態を意味する。ホームエージェント管理テーブル（ＨＡＭＴ）が図９に示すような状態である場合、ホームエージェント（ＨＡ１）が障害により非動作中で、ホームエージェント（ＨＡ２）が正常に動作していることを意味している。
【００３３】
次に、ホームエージェント管理テーブル（ＨＡＭＴ）の更新について説明する。
【００３４】
各ホームエージェント間のホームエージェント管理テーブル（ＨＡＭＴ）は、ルータ５からのルータ・アドバタイズメントリクエスト（ＲＡＲ）に各ホームエージェントのアクティブフラグ（Ｆ１〜Ｆｎ）を付加してホームエージェント間で通信する。このアクティブフラグ（Ｆ１〜Ｆｎ）を参照することで各ホームエージェント（ＨＡ）は、障害が発生したホームエージェント（ＨＡ）を認識できるようになっている。具体的には図９に示すように、ホームエージェント（ＨＡ２）は、ホームエージェントインフォメーションオプションを有しないルーターアドバータイズメント（ＲＡ：Ｒｏｕｔｅｒ  Ａｄｖｅｒｔｉｓｅｍｅｎｔ）が到着しないことでホームエージェント（ＨＡ１）に障害が生じていることを認識する。
【００３５】
次に、モバイルノード（ＭＮ）３からホームエージェント・アドレス・ディスカバリ・リクエスト（ＨＡＡＤリクエスト）が送信された場合の処理について説明する。
【００３６】
モバイルノード（ＭＮ）３より、自身のリンクの配下にある移動端末（ＭＴ）１のＩＰアドレス（移動後のモバイルアドレス、ここでは「Ｘ：Ｙ：Ｚ：：／４８」）を検索キーとしてホームエージェント・アドレス・ディスカバリ・リクエスト（ＨＡＡＤリクエスト）が送信される。このリクエストは図４に示すフォーマットでモバイルノード（ＭＮ）３からネットワーク（ＮＷ）を介してルータ５に送信され、ルータ５より順次各ホームエージェント（ＨＡ）に転送される。
【００３７】
ホームエージェント（ＨＡ）１では、ホームエージェント・アドレス・ディスカバリ・リクエスト処理部３０７によってホームエージェント管理テーブル（ＨＡＭＴ）を検索し、このケア・オブ・アドレス（ＣｏＡ）の「Ｘ：Ｙ：Ｚ：：／４８」について当該ホームエージェント（ＨＡ１）とホームエージェント（ＨＡ２）とが管理するアドレスであり、かつ両ホームエージェントも正常動作中であることがわかり、かつ自身（ホームエージェントＨＡ１）の方がプリフェランス値が高いことがわかるので、両ホームエージェントのアドレスとプリフェランス値とをホームエージェント・アドレス・ディスカバリリプライ生成部３０５で図５に示したフォーマットに組み立ててモバイルノード（ＭＮ）３に返信する。
【００３８】
このようにして、モバイルノード（ＭＮ）３は、当該ケア・オブ・アドレス（ＣｏＡ）を管理するホームエージェント（ＨＡ１およびＨＡ２）を認識することができる。この中でプリフェランス値の高いホームエージェント（ＨＡ１）のアドレスが優先的に使用される。
【００３９】
また、ケア・オブ・アドレス（ＣｏＡ）を「Ｘ：Ｙ：Ｗ：：／４８」としたエージェント・アドレス・ディスカバリ・リクエストをホームエージェント（ＨＡ１）が受信した場合、図７のホームエージェント管理テーブル（ＨＡＭＴ）を参照し、当該アドレスを管理するのがホームエージェントＨＡ１とＨＡ２であることを認識するが、どちらのホームエージェントも正常動作中であり、かつホームエージェントＨＡ１よりもＨＡ２の方が高いプリフェランス値であることを認識すると、ホームエージェントＨＡ１は自分が応答すべきリクエストではないことを認識し何も応答せずに処理を終了する。
【００４０】
一方、同じケア・オブ・アドレス（ＣｏＡ）を「Ｘ：Ｙ：Ｗ：：／４８」におるリクエストを受信したホームエージェントＨＡ２は、図８に示すテーブルを参照し、当該アドレスを管理するのがホームエージェントＨＡ１とＨＡ２であることを認識する。ここで、どちらのホームエージェントも正常動作中であり、かつホームエージェントＨＡ１よりもＨＡ２（自身）の方が高いプリフェランス値であるので、自身が処理すべきリクエストであると認識し、両ホームエージェント（ＨＡ１，ＨＡ２）のアドレスと両プリフェランス値とをホームエージェント・アドレス・ディスカバリリプライ生成部３０５で図５に示したフォーマットに組み立てて送信元のモバイルノード（ＭＮ）３に返信する。
【００４１】
このようにして、ケア・オブ・アドレス（ＣｏＡ）によってホームエージェント（ＨＡ）の負荷分散を実現できる。
【００４２】
一方、ホームエージェント（ＨＡ１）で障害が発生した場合、前述のようにホームエージェント（ＨＡ２）のホームエージェント管理テーブル（ＨＡＭＴ）の内容は図９に示したように更新される。
【００４３】
この状態で、ケア・オブ・アドレス（ＣｏＡ）を「Ｘ：Ｙ：Ｗ：：／４８」としたエージェント・アドレス・ディスカバリ・リクエストをホームエージェント（ＨＡ１）が受信しても当該ホームエージェントＨＡ１は障害により応答ができない状態となっている。
【００４４】
前記と同じリクエストをホームエージェントＨＡ２が受信した場合、当該ケア・オブ・アドレス（ＣｏＡ）に対応するのはホームエージェントＨＡ１とＨＡ２であるが、このうちＨＡ１が非動作中（ｉｎａｃｔｉｖｅ）であるため、プリフェランス値にかかわりなくホームエージェントＨＡ２は自身が応答すべきリクエストであると認識して、エージェント・アドレス・ディスカバリ・リプライを返信する。このとき、モバイルノード（ＭＮ）３に対しては、ホームエージェントＨＡ１が非動作中であることを含めて、両ホームエージェント（ＨＡ１，ＨＡ２）の情報を通知してもよいし、あるいは正常に動作しているホームエージェントＨＡ１の情報のみを通知してもよい。
【００４５】
このように本実施形態では、図７〜図９に示したホームエージェント管理テーブル（ＨＡＭＴ）を用いることにより、複数のホームエージェントが該当する場合にはよりプリフェランス値の高いホームエージェントを使用し、最上位のホームエージェントに障害が発生している場合には正常に動作している次位のホームエージェントを用いることができるため、ホームエージェント相互の負荷分散と障害発生時のホームエージェント使用不能状態の回避が可能となる。
【００４６】
なお、実施形態では説明を簡単にするために２台のホームエージェント（ＨＡ１，ＨＡ２）を例に負荷分散および障害発生時処理を説明したが、３台以上のホームエージェントにも適用できることは勿論である。
【００４７】
【発明の効果】
本発明によれば、移動体端末をＩＰｖ６のネットワークに接続させる際に、モバイルノードのケア・オブ・アドレスをホームアドレスと関係付けるホームエージェントの負荷分散とホームエージェントの障害時管理とを具体的に実現することができる。
【図面の簡単な説明】
【図１】本発明の実施形態のネットワーク構成を示す説明図
【図２】ホームエージェントのバインディングキャッシュデータベースの内容を示す説明図
【図３】ホームエージェントの機能ブロック図
【図４】ＨＡＡＤリクエストのフォーマットを示す説明図
【図５】ＨＤＤＡリプライのフォーマットを示す説明図
【図６】ＲＡリクエストのフォーマットを示す説明図
【図７】ホームエージェント１（ＨＡ１）のアドレス管理テーブルの内容を示す図（１）
【図８】ホームエージェント２（ＨＡ２）のアドレス管理テーブルの内容を示す図（２）
【図９】ホームエージェント１（ＨＡ１）で障害が発生した場合のホームエージェント２（ＨＡ２）のアドレス管理テーブルの内容を示す図
【符号の説明】
１  端末装置（ＭＴ）
２，３  モバイルノード（ＭＮ）
４  ネットワーク（ＮＷ）
５  ルータ
３０１  受信部
３０２  リクエスト解析部
３０３  ホームエージェント管理テーブル設定部
３０４  ホームアドレスリクエスト処理部
３０５  ホームエージェント・アドレス・ディスカバリ・リプライ生成部
３０６  送信部
３０７  ホームエージェント・アドレス・ディスカバリ・リクエスト処理部
ＨＡ  ホームエージェント
ＢＣＤ  バィンディングキャッシュデータベース
ＨＡＭＴ  ホームエージェント管理テーブル
【図１】
2005027123.tif 000003
【図２】
2005027123.tif 000004
【図３】
2005027123.tif 000005
【図４】
2005027123.tif 000006
【図５】
2005027123.tif 000007
【図６】
2005027123.tif 000008
【図７】
2005027123.tif 000009
【図８】
2005027123.tif 000010
【図９】
2005027123.tif 000011